(57)【要約】      （修正有）【課題】車椅子利用者や脚力の弱い人でも利用でき、安価であり、設置スペースも小さな人力駆動のエレベータを提供する。【解決手段】エレベータのケージ１とバランスウエイト２を天井部の滑車３、４を介してロープで連結し、ケージ総重量（ケージの自重と搭乗搭載荷重の和）とバランスウエイトの重量がほぼ釣り合うように設定して昇降荷重を低減し、エレベータの昇降レール６にかみ合う歯車１１〜１３をケージに取り付け、ケージ内に設置したハンドル９を回すことで歯車を回転させ、ガイドレール８で案内されながらケージの昇降を行う。ハンドル軸１０に逆回転防止歯車１５、１６を設け、停止位置で停止ピンが自動作動してケージを保持する。【選択図】図１
0003209062.tif 000002
【実用新案登録請求の範囲】
【請求項１】
エレベータのケージとバランスウエイトを天井部の滑車を介してロープで連結し、ケージ総重量（ケージの自重と搭乗搭載荷重の和）とバランスウエイトの重量がほぼ釣り合うように設定し、エレベータの昇降レールにかみ合う歯車をケージに取り付け、ケージ内に設置したハンドルを回すことで歯車を回転させ、ガイドレールで案内されながらケージの昇降を行い、ハンドル軸に逆回転防止装置を設け、停止位置で停止ピンが自動作動してケージを保持することを特徴とするエレベータ。
【考案の詳細な説明】
【技術分野】
【０００１】
本考案は、ケージ総重量（ケージの自重と搭乗搭載荷重の和）とバランスウエイトをほぼ釣り合わせ、昇降レールに沿って人力で昇降させるエレベータに関する。
【背景技術】
【０００２】
従来のエレベータは電動モーターや油圧ポンプ等の駆動装置を使用して昇降させるものである。
【考案の概要】
【考案が解決しようとする課題】
【０００３】
車椅子を利用している人や、脚力が弱くなった人が上下階の間を階段で行き来することは困難であり、エレベータを設置することは費用が高額で、昇降駆動用の動力装置の設置スペースも必要である。
【課題を解決するための手段】
【０００４】
一般に家庭においてエレベータを必要とする人は特定されるので、その人の利用状態に合わせて、エレベータのケージ総重量（ケージの自重と搭乗搭載荷重の和）とバランスウエイトの重量がほぼ釣り合うようにバランスウエイトの重量を設定し、これによりエレベータの昇降荷重を低減し、人力で運転することで昇降駆動用の動力装置を不要とし、安価で省スペースのエレベータを構成することで上記課題を解決する。
【考案の効果】
【０００５】
本考案のエレベータは従来のものより設置コストが安く、設置スペースも縮小出来るので、一般家庭への導入が容易となり、車椅子利用者や脚力が弱い人の上下階間の移動の利便性を高める。
【図面の簡単な説明】
【０００６】
【図１】図１はエレベータ機構の全体イメージを示す図面代用写真である。
【図２】図２は図１の矢視A-A図の図面代用写真である。
【図３】図３はハンドルの逆回転を防止する機構を示す図面代用写真である。
【図４】図４はケージ内のハンドルと上昇防止ピン、下降防止ピンの配置例を示す図面代用写真である。
【図５】図５は停止ピンセットの断面図面代用写真である。
【図６】図６は停止ピンの停止解除機構を示す図面代用写真である。
【図７】図７はエレベータが下階に停止し、停止ピンが作動している状態を示す図面代用写真である。
【図８】図８はエレベータが上階に停止し、停止ピンが解除されている状態を示す図面代用写真である。
【図９】図９はエレベータが上階の停止ピンを解除しようとするところを示す図面代用写真である。
【図１０】図１０はエレベータが下階の停止ピンを解除しているところを示す図面代用写真である。
【図１１】図１１は昇降レールと歯車が噛み合っている例を示す図面代用写真である。
【考案を実施するための形態】
【０００７】
エレベータのケージ総重量（ケージの自重と搭乗搭載荷重の和）とバランスウエイトの重量がほぼ釣り合うようにしてエレベータの昇降荷重を低減し、人力で運転することで昇降駆動動力装置を不要とした。
【実施例】
【０００８】
本考案のエレベータは図１に示すようにケージ１とバランスウエイト２を、滑車３および滑車４を介してロープ５で連結する。バランスウエイト２はベースウエイトといくつかの調整ウエイトで構成し、合計重量がケージ総重量（ケージ１の自重と搭乗搭載荷重の和）とほぼ釣り合うようにする。
【０００９】
駆動法について説明する。図１と図２に示すようにハンドル９と歯車１１はハンドル軸１０で連結し、歯車１１は歯車１２と噛み合い、歯車１２と歯車１３は軸１４で連結する。ハンドル９を回すとハンドル軸１０を経て歯車１１が回転し、歯車１１の回転が歯車１２及び歯車１３の回転を生じさせる。歯車１３は図１１に示すように、昇降レール６に沿って回転しながら昇降するので、ケージ１はガイドレール７、８に案内されながら昇降する。歯車１１は歯車１２より小さくし、小さい力でハンドル９を回すことができるようにする。
【００１０】
ハンドル軸１０には図３に示すような逆回転防止装置を設置する。ハンドル軸１０と逆回転防止歯車１５は一体として回転し、ハンドル軸１０がAの方向に回転（上昇）している場合には、逆回転防止歯車１５もAの方向へ回転する。B方向への回転力が働くと、逆回転防止歯車１５の歯が下降防止ピン１７に当たり、逆回転（下降）することを阻止する。逆回転防止を解除する場合は、下降防止ピン１７を点線の位置へ回して、逆回転防止歯車１５に当たらないようにする。また、このセットを裏返した状態の、逆回転防止歯車１６と上昇防止ピン１８もハンドル軸１０に設置し、B方向へ回転（下降）している時にA方向へ逆回転（上昇）することを阻止する。これにより上昇時も下降時も逆回転防止を図ることができる。
【００１１】
図４は逆回転防止装置のケージ１内の表示例であり、下降防止ピン１７と上昇防止ピン１８は共に防止の位置（実線の丸）にあり、上昇も下降もしないで停止している状態である。下降防止を解除する場合は、下降防止ピン１７を下降の位置（点線の丸）へ回し、上昇防止を解除する場合は、上昇防止ピン１８を上昇の位置（点線の丸）へ回す。
【００１２】
ケージ１が下階床部２０や上階床部２１に停止している時に、ケージ１が不用意に昇降しないように、停止ピンセットを各床部の図２に示す停止ピン設置場所３２、３３，３４，３５に設置する。停止ピンセットは図５に示すように停止ピンケース２２、停止ピン２３とバネ２４から成り、停止ピン２３の先端にはローラー/ボール２５を取り付ける。常時はバネ２４の働きで停止ピン２３は停止ピンケース２２から突出している状態にする。
【００１３】
停止ピン２３の停止状態（突出状態）を解除する停止解除装置をケージ１の１面とその対面に設置する。この装置は図６に示すようにロックレバー２８を上に上げる（点線の図）と左右のロック解除ロッド２９を押し出し、停止ピン２３を停止ピンケース２２の中へ押し込め、図８に示すようにロックを解除する。ロックレバー２８を下に押し下げる（実線の図）とロック解除ロッド２９を引き込むので、図７に示すように停止ピン２３が挿入できる空間をケージ床部１９に確保する。
【００１４】
上昇時にケージ１が停止ピン２３に妨げられて通過できなくなることを防ぐために、ケージ１の頂部の４ヶ所に図９に示す様な停止ピン解除ホーン２７を取り付ける。ローラー/ボール２５はケージ１が上昇するに従い、停止ピン解除ホーン２７の表面からケージ１の側面にかけて接しながら回転し、ケージ１の上昇を円滑にする。ケージ１の底部にも同様に４ヶ所に図１０に示すような停止ピン解除ホーン２６を取り付け、下降時のケージ１の通過を可能とする。
【００１５】
ケージ１が図７の状態にあるときのケージ１の下の位置にはケージ１がそれ以上下降しないように、緩衝材を付けたストッパー３０を建屋床下に設置しておく。また、ケージ１が上階に上昇し、図８の状態にあるときのケージ１の上の位置にはケージ１がそれ以上上昇しないように、緩衝材を付けたストッパー３１を建屋天井部に設置しておく。
【００１６】
下階でケージ１に乗り込んだところからのエレベータの運行手順を説明する。ロックレバー２８は図１に示すように対面する２か所に設置されている。停止ピンセットは各階において４ヶ所に設置されていて、その４ヶ所で作動するが、この説明では１か所での作動状況を以下に示す。
【００１７】
ケージ１に乗り込み上昇させるときは、図６に示すロックレバー２８を引上げてロック解除ロッド２９を伸ばし、図８に示すように、下階床部２１にある停止ピン２３を停止ピンケース２２の中へ押し込める。次いで図４の上昇防止位置にある上昇防止ピン１８を上昇の位置へ回して上昇防止を解除し、ハンドル９を上昇方向へ回して上昇する。少し上昇したところでロックレバー２８を押し下げて、図１０に示すようにロック解除ロッド２９を引き込めておく。
【００１８】
ケージ１が上昇してその頂部が上階床部２１に到達すると、図９に示すように停止ピン解除ホーン２７が停止ピン２３をバネ２４に抗して押し込めながら上昇し、更に上昇してケージ床部１９が上階床部２１に接近してくる。図８の状態の位置になるとロック解除ロッド２９は引っ込んでいるので、停止ピン２３がバネ２４の働きで突出し、図７に示すようにケージ１を保持する。これで上階に到着となる。この状態で安全の為に図４の上昇防止ピン１８を上昇防止位置に戻し、下降防止ピン１７も下降防止位置にあることを確認してケージ１から降りる。
【００１９】
上階から下降する時は、ケージ１に乗り込んで図６のロックレバー２８を引上げてロック解除ロッド２９を伸ばし、停止ピン２３を図８に示すように停止ピンケース２２の中へ押し込める。次いで図４の下降防止位置にある下降防止ピン１７を下降の位置へ回して下降防止を解除し、ハンドル９を下降方向へ回して下降する。少し下降したところでロックレバー２８を押し下げて、ロック解除ロッド２９を引き込めておく。
【００２０】
ケージ１が下階床部２０に下降してくると、図１０に示すように、ケージ１の底部にある停止ピン解除ホーン２６が停止ピン２３をバネ２４に抗して押し込めながら、更に下降し図７の状態の位置になると、停止ピン２３がバネ２４の働きで突出しケージ１を保持する。これで下階に到着となる。この状態で安全の為に下降防止ピン１７を下降防止位置に回し、上昇防止ピン１８が上昇防止位置にあることを確認してケージ１から降りる。
【産業上の利用可能性】
【００２１】
本考案のエレベータは人力で駆動するので、駆動動力装置が不要で従来のものより手軽に設置出来る。
【符号の説明】
【００２２】
１  ケージ
２  バランスウエイト
３、４  滑車
５  ロープ
６  昇降レール
７、８  ガイドレール
９  ハンドル
１０  ハンドル軸
１１、１２、１３  歯車
１４  軸
１５、１６  逆回転防止歯車
１７  下降防止ピン
１８  上昇防止ピン
１９  ケージ床部
２０  下階床部
２１  上階床部
２２  停止ピンケース
２３  停止ピン
２４  バネ
２５  ローラー/ボール
２６、２７  停止ピン解除ホーン
２８  ロックレバー
２９  ロック解除ロッド
３０、３１  ストッパー
３２、３３、３４、３５  停止ピン設置場所
【図１】
0003209062.tif 000003
【図２】
0003209062.tif 000004
【図３】
0003209062.tif 000005
【図４】
0003209062.tif 000006
【図５】
0003209062.tif 000007
【図６】
0003209062.tif 000008
【図７】
0003209062.tif 000009
【図８】
0003209062.tif 000010
【図９】
0003209062.tif 000011
【図１０】
0003209062.tif 000012
【図１１】
0003209062.tif 000013